(57)【要約】【課題】空調機本体から放射パネルまでの流路長に関わらず、空調効果のバランスを改善する。【解決手段】放射空調システム１Ａは、室内機１１と、第一ダクト２１と、複数の放射パネル３１Ａ〜３１Ｃと、第二ダクト２２と、連通部２５と、開閉部２６と、を備える。複数の放射パネル３１Ａ〜３１Ｃは、第一ダクト２１を介してそれぞれ空調風が供給される。第二ダクト２２は、室内機１１に接続されて空調風が導入される。第二ダクト２２は、第一ダクト２１の少なくとも一部に並行して延びている。連通部２５は、第二ダクト２２に設けられている。連通部２５は、複数の放射パネル３１Ａ〜３１Ｃのそれぞれに対して空調風の流れ方向上流側で第一ダクト２１に連通する。開閉部２６は、連通部２５を開閉する。【選択図】図１
2020112279.tif 000002
【特許請求の範囲】
【請求項１】
温度調整がなされた空調風を送り出す空調機本体と、
互いに異なる位置に配置されて、前記空調風がそれぞれ供給される複数の放射パネルと、
前記空調機本体に接続されて前記空調風が導入され、前記空調風を複数の前記放射パネルにそれぞれ供給する第一ダクトと、
前記空調機本体に接続されて前記空調風が導入されるとともに、前記第一ダクトの少なくとも一部に並行して延びる第二ダクトと、
前記第二ダクトに設けられ、複数の前記放射パネルのそれぞれに対して前記空調風を供給可能な位置で前記第一ダクトに連通する複数の連通部と、
前記連通部を開閉する開閉部と、を備える
放射空調システム。
【請求項２】
複数の前記放射パネルは、複数の室に設けられ、
前記第一ダクトは、前記第二ダクトと並行して延びる並行延伸部と、
前記並行延伸部から複数の前記室のそれぞれに分岐して延びる分岐延伸部と、を有し、
前記連通部は、前記第一ダクトの前記分岐延伸部の上流側部分に設けられている
請求項１に記載の放射空調システム。
【請求項３】
前記放射パネルは、一つの室に複数設けられ、
前記連通部は、複数の前記放射パネルの上流側にそれぞれ設けられている
請求項１に記載の放射空調システム。
【請求項４】
前記第二ダクトは、前記空調機本体に近い側の第一端部に、前記空調機本体からの前記空調風の導入を断続する入口開閉部をさらに備えている
請求項１から３の何れか一項に記載の放射空調システム。
【請求項５】
前記第二ダクトは、前記第一ダクトよりも流路断面積が大きい
請求項１から４の何れか一項に記載の放射空調システム。
【請求項６】
前記空調風を室内空間に供給する対流空調部を備えている
請求項１から５の何れか一項に記載の放射空調システム。
【請求項７】
前記連通部のそれぞれに設けられた前記開閉部の開度を調整する制御部を備えている
請求項１から６の何れか一項に記載の放射空調システム。
【請求項８】
複数の前記放射パネルの温度と、室内空間の温度との少なくとも一方を検出するセンサーを備え、
前記制御部は、前記センサーで検出される温度に基づき、前記開閉部の開度を調整する
請求項７に記載の放射空調システム。
【発明の詳細な説明】
【技術分野】
【０００１】
この発明は、放射空調システムに関する。
【背景技術】
【０００２】
例えば、特許文献１には、放射パネル（ふく射パネル）を用いた放射空調システム（ふく射式空調システム）が開示されている。この放射空調システムでは、室内機で加熱又は冷却することで温度調整した空気をダクト（ふく射ダクト）に通過させ、放射パネルを加熱または冷却する。放射パネルから室内空間に熱が放射されることで、室内空間の放射空調がなされる。
【先行技術文献】
【特許文献】
【０００３】
【特許文献１】特開平９−９６４３４号公報
【発明の概要】
【発明が解決しようとする課題】
【０００４】
ところで、１台の室内機で温度調整した空気を、複数の室のそれぞれに設けられた放射パネルに供給する構成において、室内機と各室の放射パネルとは、ダクトを介して接続されている。この場合、室内機と各室との位置関係に応じて、室内機から放射パネルまでのダクトの流路長が異なることがある。
また、１つの室内に複数の放射パネルが設けられている場合、室内機から各放射パネルまでのダクトの流路長が異なることがある。
【０００５】
室内機からのダクトの流路長が長くなると、ダクトにおける圧力損失が大きくなる。このため、ダクトの流路長が長いほど、放射パネルの部分における風量が少なくなる。
また、室内機からのダクトの流路長が長くなると、放射パネルにおける熱交換量が低くなる。このため、ダクトの流路長が長いほど、放射パネルの部分における放射空調効果が低くなる。
この発明は、上記事情に鑑みてなされたものであり、空調機本体から放射パネルまでの流路長に関わらず、空調効果のバランスを改善することができる放射空調システムを提供することを目的とする。
【課題を解決するための手段】
【０００６】
この発明は、上記課題を解決するため、以下の手段を採用する。
この発明の第一態様によれば、放射空調システムは、空調機本体と、複数の放射パネルと、第一ダクトと、第二ダクトと、連通部と、開閉部と、を備える。前記空調機本体は、温度調整がなされた空調風を送り出す。複数の前記放射パネルは、互いに異なる位置に配置されている。複数の前記放射パネルには、前記空調風がそれぞれ供給される。前記第一ダクトは、前記空調機本体に接続されて前記空調風が導入され、前記空調風を複数の前記放射パネルにそれぞれ供給する。前記第二ダクトは、前記空調機本体に接続されて前記空調風が導入される。前記第二ダクトは、前記第一ダクトの少なくとも一部に並行して延びている。前記連通部は、前記第二ダクトに設けられている。前記連通部は、複数設けられている。前記連通部は、複数の前記放射パネルのそれぞれに対して前記空調風を供給可能な位置で前記第一ダクトに連通する。前記開閉部は、前記連通部を開閉する。
【０００７】
このように構成することで、連通部の開閉部を開くと、第二ダクトを通る空調風が連通部を介して第一ダクトに導入される。これにより、複数の放射パネルのそれぞれには、第一ダクトを通る空調風に加えて、第二ダクトを通る空調風が供給される。したがって、空調機本体からの流路長が長くても、放射パネルの部分に供給される風量が少なくなることが抑えられる。また、放射パネルの部分に供給される風量を増大させることで、放射パネルにおける熱交換量が低くなることが抑えられる。したがって、空調機本体からの流路長が長くても、放射パネルの部分における放射空調効果が低くなることが抑えられる。
このようにして、空調機本体から放射パネルまでの流路長に関わらず、空調効果のバランスを改善することが可能となる。
【０００８】
この発明の第二態様によれば、第一態様に係る複数の前記放射パネルは、複数の室に設けられていてもよい。前記第一ダクトは、並行延伸部と、分岐延伸部と、を有している。前記並行延伸部は、前記第二ダクトと並行して延びている。前記分岐延伸部は、前記並行延伸部から複数の前記室のそれぞれに分岐して延びている。前記連通部は、前記第一ダクトの前記分岐延伸部の上流側部分に設けられている。
このように構成することで、開閉部を開くと、分岐延伸部には、第一ダクトの並行延伸部を通る空調風に加えて、分岐延伸部の上流側部分に設けられた連通部から第二ダクトを通る空調風が供給される。第一ダクトの並行延伸部を通った空調風と第二ダクトを通った空調風は、第一ダクトの分岐延伸部を通して各室に供給される。したがって、空調機本体からの流路長が長くても、各室に設けられた放射パネルの部分に供給される風量を増大させることができる。
【０００９】
この発明の第三態様によれば、第一又は第二態様に係る放射パネルは、一つの室に複数設けられていてもよい。前記連通部は、複数の前記放射パネルの上流側にそれぞれ設けられていてもよい。
このように構成することで、一つの室に複数の放射パネルが設けられていても、複数の放射パネルのそれぞれの上流側に設けられた連通部の開閉部を開けば、第二ダクトを通る空調風が連通部を介して第一ダクトに導入される。これにより、複数の放射パネルのそれぞれに供給される風量を増大させることができる。
【００１０】
この発明の第四態様によれば、第一から第三態様の何れか一つの態様に係る第二ダクトは、前記空調機本体に近い側の第一端部に、前記空調機本体からの前記空調風の導入を断続する入口開閉部をさらに備えていてもよい。
このように構成することで、第二ダクトを通して第一ダクトに空気を供給しない場合、入口開閉部を閉じておけば、空調機本体からの空調風の全てを第一ダクトに供給することができる。これにより、空調機本体からの空調風を無駄なく活用することができる。
【００１１】
この発明の第五態様によれば、第一から第四態様の何れか一つの態様に係る前記第二ダクトは、前記第一ダクトよりも流路断面積が大きいようにしてもよい。
このように構成することで、第二ダクトを通して、より多い量の空調風を第一ダクトに供給することが可能となる。
【００１２】
この発明の第六態様によれば、第一から第五態様の何れか一つの態様に係る放射空調システムは、前記空調風を室内空間に供給する対流空調部を備えていてもよい。
このように構成することで、第一ダクト及び第二ダクトを通った空調風は、対流空調部を通して室内空間に供給される。これにより、放射パネルにおける放射空調に加えて、対流空調部を通した対流空調によって、室内の温度を調整することができる。
【００１３】
この発明の第七態様によれば、第一から第六態様の何れか一つの態様に係る放射空調システムは、前記連通部のそれぞれに設けられた前記開閉部の開度を調整する制御部を備えていてもよい。
このように構成することで、制御部で、連通部の開閉部の開度を調整することで、複数の放射パネルのそれぞれに供給される風量が少なくなることを自動的に抑える。これにより、空調機本体からの流路長に関わらず、空調効果のバランスを自動的に改善することが可能となる。
【００１４】
この発明の第八態様によれば、第七態様に係る放射空調システムは、複数の前記放射パネルの温度と、室内空間の温度との少なくとも一方を検出するセンサーを備えていてもよい。前記制御部は、前記センサーで検出される温度に基づき、前記開閉部の開度を調整する。
このように構成することで、センサーで検出された温度に基づいて、制御部で開閉部の開度を自動的に調節する。これにより、空調機本体からの流路長に関わらず、空調効果のバランスを自動的に改善することが可能となる。
【発明の効果】
【００１５】
上記放射空調システムによれば、空調機本体から放射パネルまでの流路長に関わらず、空調効果のバランスを改善することが可能となる。
【図面の簡単な説明】
【００１６】
【図１】この発明の第一実施形態の放射空調システムの概略構成を示す図である。
【図２】上記放射空調システムの要部を示す図である。
【図３】上記放射空調システムに設けられた放射パネルの構成を示す平面図である。
【図４】上記放射空調システムにおいて第一ダクトと第二ダクトとが連通する部分を示す拡大断面図である。
【図５】この発明の第二実施形態の放射空調システムの概略構成を示す図である。
【発明を実施するための形態】
【００１７】
以下、この発明の一実施形態における放射空調システムを図面に基づき説明する。
（第一実施形態）
図１は、この実施形態の放射空調システムの概略構成を示す図である。
図１に示すように、この実施形態の放射空調システム１Ａは、室内機１１と、室外機１２と、空気案内ダクト２０と、複数の放射パネル３１Ａ〜３１Ｃと、制御部４０Ａと、を備えている。
【００１８】
室内機１１は、室内熱交換器１４と、送風ファン１５と、を有する。
【００１９】
室内熱交換器１４は、室内機１１の筐体１３内に収容されている。室内熱交換器１４は、室外機１２から供給された冷媒と空気とを熱交換することで、空気を加熱又は冷却する。
【００２０】
送風ファン１５は、筐体１３内に収容されている。送風ファン１５は、室内熱交換器１４により加熱又は冷却されることで温度調整がなされた空気である空調風を空気案内ダクト２０内に送り出す。
【００２１】
室外機１２は、室外熱交換器１６を備える。室外熱交換器１６は、室内機１１から送り出された冷媒と外気とを熱交換させる。
【００２２】
複数の放射パネル３１Ａ〜３１Ｃは、互いに異なる位置に配置されている。この実施形態において、複数の放射パネル３１Ａ〜３１Ｃは、複数の室２Ａ〜２Ｃに設けられている。放射パネル３１Ａ〜３１Ｃは、室２Ａ〜２Ｃの天井又は床に設けられている。この実施形態では、複数の放射パネル３１Ａ〜３１Ｃは、天井材３Ａに配置されている。複数の室２Ａ〜２Ｃのそれぞれにおいて、天井材３Ａは、室内上面２ｔに対して下方に間隔をあけて設けられている。これにより、天井材３Ａと、その上方の室内上面２ｔとの間に、天井裏空間４Ａが形成されている。
【００２３】
図２は、上記放射空調システムの要部を示す図である。図３は、上記放射空調システムに設けられた放射パネルの構成を示す平面図である。
図２に示すように、複数の放射パネル３１Ａ〜３１Ｃは、それぞれ、天井材３Ａの上面と接触している。図３に示すように、放射パネル３１Ａ〜３１Ｃは、それぞれ、パネル筐体３２と、流路形成用部材３４〜３６と、を有する。
【００２４】
パネル筐体３２は、外形が直方体形状とされており、内部に中空部を有する。パネル筐体３２は、空気導入口３７Ａと、空気導出口３７Ｂと、を有する。空気導入口３７Ａは、パネル筐体３２の角部近傍に配置されている。空気導入口３７Ａは、空気案内ダクト２０から送られてきた空調風をパネル筐体３２内に導く。空気導出口３７Ｂは、パネル筐体３２の内部の中空部を流れた空調風を排出する。
【００２５】
流路形成用部材３４〜３６は、パネル筐体３２内に収容されている。流路形成用部材３４〜３６は、水平方向に間隔を空けて設けられている。流路形成用部材３４、３６は、パネル筐体３２の一方の側面３２ａから他方の側面３２ｂに向かって延びている。流路形成用部材３４、３６は、他方の側面３２ｂとの間に隙間をあけて設けられている。流路形成用部材３５は、パネル筐体３２の他方の側面３２ｂから一方の側面３２ａに向かって延びている。流路形成用部材３５は、一方の側面３２ａとの間に隙間をあけて設けられている。これにより、パネル筐体３２内には、流路形成用部材３４〜３６により、空気導入口３７Ａから空気導出口３７Ｂまでジグザグ状に連続する流路３３が形成されている。パネル筐体３２内に導かれた空調風は、流路３３を流れた後、空気導出口３７Ｂからパネル筐体３２の外部に導出される。
【００２６】
図１、図２に示すように、天井材３Ａには、室内機１１から離間した側（言い換えれば、空気導出口３７Ｂに近い側）の第二端部に、対流空調部３８Ａが形成されている。対流空調部３８Ａは、複数の室２Ａ〜２Ｃのそれぞれの内部（室内空間）に空調風を供給する。
【００２７】
図４は、上記放射空調システムにおいて第一ダクトと第二ダクトとが連通する部分を示す拡大断面図である。
図１、図２、図４に示すように、空気案内ダクト２０は、室内機１１から複数の室２Ａ〜２Ｃに設けられた放射パネル３１Ａ〜３１Ｃに空調風を送る流路を形成する。なお、図１において示す空気案内ダクト２０の配置は、一例を模式的に示したものであり、その配置を何ら限定するものではない。
【００２８】
空気案内ダクト２０は、第一ダクト２１と、第二ダクト２２と、連通部２５と、開閉部２６と、を備えている。空気案内ダクト２０は、第一ダクト２１と第二ダクト２２とが並行するように設けられた並設ダクト部２０Ｓと、第一ダクト２１のみが設けられた分岐ダクト部２０Ｔと、を有している。並設ダクト部２０Ｓは、室内機１１から、複数の室２Ａ〜２Ｃにわたるように延びている。分岐ダクト部２０Ｔは、並設ダクト部２０Ｓから、複数の室２Ａ〜２Ｃのそれぞれに分岐して延びている。
【００２９】
第一ダクト２１は、管状に形成されている。第一ダクト２１は、室内機１１に接続されている。第一ダクト２１には、室内機１１から送り出される空調風Ｗ１が導入される。図４に示すように、第一ダクト２１は、並行延伸部２３と、分岐延伸部２４と、を有している。並行延伸部２３は、第二ダクト２２と並行して延びている。並行延伸部２３は、室内機１１から複数の室２Ａ〜２Ｃを跨がるように延びている。図１に示すように、分岐延伸部２４は、並行延伸部２３から複数の室２Ａ〜２Ｃのそれぞれに分岐して延びている。分岐延伸部２４の先端は、室２Ａ〜２Ｃの天井裏空間４Ａに開口している。
【００３０】
第二ダクト２２は、管状に形成されている。第二ダクト２２は、室内機１１に接続されている。第二ダクト２２には、室内機１１から送り出される空調風Ｗ２が導入される。つまり、室内機１１から送り出される空調風は、第一ダクト２１と第二ダクト２２とに導入される。図４に示すように、第二ダクト２２は、第一ダクト２１の一部である並行延伸部２３に並行して延びている。この実施形態において、第二ダクト２２は、第一ダクト２１に対し、図１、図２の紙面に直交する方向に積層して設けられている。ここで、第一ダクト２１と第二ダクト２２とを積層する方向は、いかなる方向であってもよい。
この実施形態で例示する第二ダクト２２の流路断面積Ａ２は、第一ダクト２１の流路断面積Ａ１よりも大きい。
【００３１】
並設ダクト部２０Ｓにおいて、第一ダクト２１と第二ダクト２２とは、管状に連続するダクト管２０ｄ内を、仕切板２０ｐによって二分割して仕切ることで形成されている。
【００３２】
図４に示すように、連通部２５は、第二ダクト２２に設けられている。連通部２５は、仕切板２０ｐに形成された開口であり、第二ダクト２２と第一ダクト２１とを連通する。空調風の流れ方向で、連通部２５は、複数の放射パネル３１Ａ〜３１Ｃの上流側で第一ダクト２１にそれぞれ連通している。連通部２５は、第一ダクト２１の分岐延伸部２４の上流側部分に設けられている。具体的には、連通部２５は、第一ダクト２１の並行延伸部２３と第二ダクト２２とが並設された並設ダクト部２０Ｓから、分岐延伸部２４が分岐する部分に設けられている。
【００３３】
開閉部２６は、例えば板状で、連通部２５を開閉する。開閉部２６は、制御部４０Ａにより、その開閉動作が制御される。
【００３４】
第二ダクト２２は、室内機１１に近い側の第一端部に、入口開閉部２７を有している。入口開閉部２７は、室内機１１から第二ダクト２２への空調風の導入を断続する。入口開閉部２７は、制御部４０Ａにより、その開閉動作が制御される。
【００３５】
図１に示すように、複数の室２Ａ〜２Ｃのそれぞれには、センサー６０が設けられている。センサー６０は、放射パネル３１Ａ〜３１Ｃの温度と、複数の室２Ａ〜２Ｃの内部（室内空間）の温度との少なくとも一方を検出する。制御部４０Ａは、センサー６０で検出される温度に基づき、開閉部２６の開度を調整する。
【００３６】
このような放射空調システム１Ａでは、室内機１１において加熱又は冷却されることで温度調整がなされた空調風は、並設ダクト部２０Ｓの第一ダクト２１及び第二ダクト２２に送り込まれる。並設ダクト部２０Ｓにおいて、第二ダクト２２を流れる空調風Ｗ２は、連通部２５が設けられた部分において、開閉部２６の開度に応じて、第二ダクト２２から第一ダクト２１に流入する。すなわち、開閉部２６が閉じていれば、第二ダクト２２を流れる空調風Ｗ２は、連通部２５を通らず、第一ダクト２１には流入しない。図４に示すように、開閉部２６が開いている場合、第二ダクト２２を流れる空調風Ｗ２は、連通部２５を通って、第一ダクト２１に流入する。開閉部２６の開度が大きいほど、連通部２５を通って第二ダクト２２から第一ダクト２１に流入する空調風Ｗ２の量は増える。
【００３７】
図１に示すように、室２Ａに向かって延びる第一ダクト２１の分岐延伸部２４Ａにおいては、開閉部２６Ａが開くと、第一ダクト２１の並行延伸部２３を流れてきた空調風Ｗ１と、連通部２５Ａを通して第二ダクト２２から流れ込んだ空調風Ｗ２とが合流して流れる。分岐延伸部２４Ａを流れる空調風Ｗ１，Ｗ２は、室２Ａの天井裏空間４Ａに流れ込む。
室２Ａの天井裏空間４Ａにおいて、空調風Ｗ１，Ｗ２は、放射パネル３１Ａの空気導入口３７Ａからパネル筐体３２内に流れ込み、流路３３を流れた後、空気導出口３７Ｂからパネル筐体３２の外部に導出される。このとき、流路３３を流れる空調風Ｗ１，Ｗ２により、パネル筐体３２が加熱又は冷却され、その熱が天井材３Ａの下方の室内空間に放散される。
また、天井裏空間４Ａを流れる空調風Ｗ１，Ｗ２は、対流空調部３８Ａを通して、室２Ａの天井材３Ａの下方の室内空間に供給される。これにより、室２Ａ内の対流空調がなされる。
【００３８】
室２Ｂに向かって延びる第一ダクト２１の分岐延伸部２４Ｂにおいては、開閉部２６Ｂが開くと、第一ダクト２１の並行延伸部２３を流れてきた空調風Ｗ１と、連通部２５Ｂを通して第二ダクト２２から流れ込んだ空調風Ｗ２とが合流して流れ込む。分岐延伸部２４Ｂを流れる空調風Ｗ１，Ｗ２は、室２Ｂの天井裏空間４Ａに流れ込む。
室２Ｂの天井裏空間４Ａにおいて、空調風Ｗ１，Ｗ２は、放射パネル３１Ｂの流路３３を通り抜ける。このとき、流路３３を流れる空調風Ｗ１，Ｗ２により、パネル筐体３２が加熱又は冷却され、その熱が天井材３Ａの下方の室内空間に放散される。
また、室２Ｂの天井裏空間４Ａを流れる空調風Ｗ１，Ｗ２は、対流空調部３８Ａを通して、室２Ｂの天井材３Ａの下方の室内空間に供給される。これにより、室２Ｂ内の対流空調がなされる。
【００３９】
室２Ｃに向かって延びる第一ダクト２１の分岐延伸部２４Ｃにおいては、開閉部２６Ｃが開くと、第一ダクト２１の並行延伸部２３を流れてきた空調風Ｗ１と、連通部２５Ｃを通して第二ダクト２２から流れ込んだ空調風Ｗ２とが合流して流れる。分岐延伸部２４Ｃを流れる空調風Ｗ１，Ｗ２は、室２Ｃの天井裏空間４Ａに流れ込む。
室２Ｃの天井裏空間４Ａにおいて、空調風Ｗ１，Ｗ２は、放射パネル３１Ｃの空気導入口３７Ａからパネル筐体３２内に流れ込み、流路３３を通り抜ける。このとき、流路３３を流れる空調風により、パネル筐体３２が加熱又は冷却され、その熱が天井材３Ａの下方の室内空間に放散される。
また、室２Ｃの天井裏空間４Ａを流れる空調風Ｗ１，Ｗ２は、対流空調部３８Ａを通して、室２Ｃの天井材３Ａの下方の室内空間に供給される。これにより、室２Ｃ内の対流空調がなされる。
【００４０】
制御部４０Ａは、予め定められたコンピュータプログラムに基づいて、開閉部２６Ａ〜２６Ｃの開度を調整する。
例えば、制御部４０Ａは、室内機１１から室２Ａ〜２Ｃの天井裏空間４Ａまでの空気案内ダクト２０の流路長が長いほど、開閉部２６Ａ〜２６Ｃの開度を大きくする。これにより、室内機１１からの流路長が室２Ａよりも長い、室２Ｃや２Ｂに供給される風量を増大させる。その結果、室２Ａ〜２Ｃに供給される風量の均等化が図られる。これにより、流路長が短い室２Ａの放射パネル３１Ａに対し、流路長が長い室２Ｃや２Ｂの放射パネル３１Ｃや３１Ｂにおける熱交換量が低くなることが抑えられる。
【００４１】
また、制御部４０Ａは、センサー６０で検出される放射パネル３１Ａ〜３１Ｃの温度や複数の室２Ａ〜２Ｃの内部の温度に基づき、開閉部２６の開度を調整する。制御部４０Ａは、センサー６０で検出される温度が、予め設定された温度に近づくよう、開閉部２６の開度を調整する。このとき、流路長が長い室２Ｃや室２Ｂにおいても、開閉部２６の開度を大きくすることで風量が増大されるため、設定温度への温度調整が迅速に行われる。
【００４２】
また、制御部４０Ａは、第二ダクト２２を通して第一ダクト２１に空調風Ｗ２を供給しない場合、入口開閉部２７を閉じておくようにしてもよい。
【００４３】
上述した第一実施形態の放射空調システム１Ａによれば、第一ダクト２１に並行して延びる第二ダクト２２を備えている。連通部２５の開閉部２６を開くことで、複数の放射パネル３１Ａ〜３１Ｃのそれぞれには、第一ダクト２１を通る空調風Ｗ１に加えて、第二ダクト２２を通る空調風Ｗ２が供給される。したがって、室内機１１からの流路長が長くても、放射パネル３１Ａ〜３１Ｃの部分に供給される風量を増大させることが抑えられる。また、放射パネル３１Ａ〜３１Ｃの部分に供給される風量を増大させることで、放射パネル３１Ａ〜３１Ｃにおける熱交換量が低くなることが抑えられる。したがって、室内機１１からの流路長が長くても、放射パネル３１Ａ〜３１Ｃの部分における放射空調効果が低くなることが抑えられる。
このようにして、室内機１１から放射パネル３１Ａ〜３１Ｃまでの流路長に関わらず、空調効果のバランスを改善することが可能となる。
【００４４】
また、第一ダクト２１の分岐延伸部２４の上流側に、第二ダクト２２と第一ダクト２１とを連通する連通部２５が設けられているので、開閉部２６を開けば、分岐延伸部２４には、第一ダクト２１を通る空調風Ｗ１に加えて、第二ダクト２２を通る空調風Ｗ２が供給される。したがって、室内機１１からの流路長が長くても、室２Ａ〜２Ｃのそれぞれに設けられた放射パネル３１Ａ〜３１Ｃの部分に供給される風量が少なくなることが抑えられる。また、放射パネル３１Ａ〜３１Ｃの部分に供給される風量を増大させることで、放射パネル３１Ａ〜３１Ｃにおける熱交換量が低くなることが抑えられる。
【００４５】
また、第二ダクト２２を通して第一ダクト２１に空気を供給しない場合、入口開閉部２７を閉じておくことで、室内機１１からの空調風の全てを第一ダクト２１に供給することができる。これにより、室内機１１からの空調風を無駄なく活用することができる。
【００４６】
また、第二ダクト２２は、第一ダクト２１よりも流路断面積Ａ２が大きいので、第二ダクト２２を通して、より多い風量の空調風を第一ダクト２１に供給することが可能となる。これにより、複数の放射パネル３１Ａ〜３１Ｃのそれぞれに供給される風量が少なくなることが有効に抑えられる。また、放射パネル３１Ａ〜３１Ｃの部分に供給される風量を増大させることで、放射パネル３１Ａ〜３１Ｃにおける熱交換量が低くなることが抑えられる。したがって、室内機１１からの流路長に関わらず、空調効果のバランスを改善することが可能となる。
【００４７】
また、対流空調部３８が設けられているので、放射パネル３１Ａ〜３１Ｃにおける放射空調に加えて、対流空調部３８を通した対流空調により、室内の温度を調整することができる。
【００４８】
また、制御部４０Ａで、連通部２５の開閉部２６の開度を調整することで、複数の放射パネル３１Ａ〜３１Ｃのそれぞれに供給される風量が少なくなることが自動的に抑えられる。これにより、室内機１１からの流路長に関わらず、空調効果のバランスを自動的に改善することが可能となる。
【００４９】
さらに、センサー６０で検出された温度に基づいて、制御部４０Ａで開閉部２６の開度を自動的に調節することで、室内機１１からの流路長に関わらず、空調効果のバランスを自動的に改善することが可能となる。
【００５０】
（第二実施形態）
次に、この発明に係る放射空調システムの第二実施形態について説明する。以下に説明する第二実施形態においては、第一実施形態と同一部分に同一符号を付して説明するとともに、重複説明を省略する。
【００５１】
図５は、この実施形態の放射空調システムの概略構成を示す図である。
図５に示すように、この実施形態の放射空調システム１Ｂは、室内機１１と、室外機１２と、空気案内ダクト５０と、複数の放射パネル３１Ｄ〜３１Ｆと、制御部４０Ｂと、を備えている。
【００５２】
複数の放射パネル３１Ｄ〜３１Ｆは、互いに異なる位置に配置されている。この実施形態において、複数の放射パネル３１Ｄ〜３１Ｆは、室２Ｄに設けられている。放射パネル３１Ｄ〜３１Ｆは、室２Ｄの天井又は床に設けられている。この実施形態では、複数の放射パネル３１Ｄ〜３１Ｆは、天井材３Ｂに配置されている。複数の放射パネル３１Ｄ〜３１Ｆは、後述する空気案内ダクト５０が連続する方向に間隔をあけて配置されている。なお、放射パネル３１Ｄ〜３１Ｆの構成は、上述した第一実施形態の放射パネル３１Ａ〜３１Ｃと同様である（図３参照）。
【００５３】
図５に示すように、天井材３Ｂには、対流空調部３８Ｂが形成されている。対流空調部３８Ｂは、室２Ｄの内部（室内空間）に空調風を供給する。対流空調部３８Ｂは、複数の放射パネル３１Ｄ〜３１Ｆよりも、空気案内ダクト５０における空調風（Ｗ１１，Ｗ１２）の流れる方向の下流側に位置する。
【００５４】
空気案内ダクト５０は、室内機１１から室２Ｄに設けられた放射パネル３１Ｄ〜３１Ｆに空調風を送る流路を形成する。ここで、図５で示す空気案内ダクト５０の配置は、一例を模式的に示したものであり、その配置を何ら限定するものではない。
空気案内ダクト５０は、第一ダクト５１と、第二ダクト５２と、連通部５５と、開閉部５６と、を備えている。
【００５５】
第一ダクト５１は、管状に形成されている。第一ダクト５１は、室内機１１に接続されている。第一ダクト５１は、天井裏空間４Ｂ内で、天井材３Ｂの上面に沿って延びている。第一ダクト５１には、室内機１１から送り出される空調風Ｗ１１が導入される。
【００５６】
第二ダクト５２は、管状に形成されている。第二ダクト５２は、室内機１１に接続されている。第二ダクト５２は、天井裏空間４Ｂ内で、第一ダクト５１の上方に配置されている。第二ダクト５２は、第一ダクト５１に並設されている。第二ダクト５２には、室内機１１から送り出される空調風Ｗ１２が導入される。つまり、室内機１１から送り出される空調風は、第一ダクト５１と第二ダクト５２とに導入される。第二ダクト５２の流路断面積Ａ１２は、第一ダクト５１の流路断面積Ａ１１よりも大きい。
【００５７】
連通部５５は、第二ダクト５２に設けられている。連通部５５は、第二ダクト５２と第一ダクト５１とを連通する。連通部５５は、複数の放射パネル３１Ｄ〜３１Ｆのうち、空調風の流れる方向における最上流側の放射パネル３１Ｄを除いた、二つの放射パネル３１Ｅ，３１Ｆの上流側にそれぞれ配置されている。
【００５８】
開閉部５６は、例えば板状で、連通部５５を開閉する。開閉部５６は、制御部４０Ｂにより、その開閉動作が制御される。
【００５９】
また、第二ダクト５２において室内機１１側の第一端部に、入口開閉部５７が形成されている。入口開閉部５７は、室内機１１から第二ダクト５２への空調風Ｗ１２の導入を断続する。入口開閉部２７は、制御部４０Ｂにより、その開閉動作が制御される。
【００６０】
また、第二ダクト５２において室内機１１から離間した側の第二端部には、出口開閉部５８が形成されている。出口開閉部５８は、制御部４０Ｂにより、その開閉動作が制御される。
【００６１】
室２Ｄには、センサー６０Ｂが設けられている。センサー６０Ｂは、放射パネル３１Ｄ〜３１Ｆの温度と、室２Ｄの内部（室内空間）の温度との少なくとも一方を検出する。制御部４０Ｂは、センサー６０で検出される温度に基づき、開閉部５６の開度を調整する。
【００６２】
このような放射空調システム１Ｂでは、室内機１１において加熱又は冷却されることで温度調整がなされた空調風は、第一ダクト５１及び第二ダクト５２に送り込まれる。第二ダクト５２を流れる空調風Ｗ１２は、連通部５５が設けられた部分において、開閉部５６の開度に応じて第二ダクト５２から第一ダクト５１に流入する。すなわち、開閉部５６が閉じていれば、第二ダクト５２を流れる空調風Ｗ１２は、連通部５５を通らず、第一ダクト５１には流入しない。開閉部５６が開いている場合、第二ダクト５２を流れる空調風Ｗ１２は、連通部５５を通って第一ダクト５１に流入する。開閉部２６の開度が大きいほど、連通部５５を通って第二ダクト５２から第一ダクト５１に流入する空調風Ｗ１２の風量は増える。
【００６３】
開閉部５６Ａが開くと、第一ダクト５１を流れてきた空調風Ｗ１１に、連通部５５Ａを通して第二ダクト５２から流れ込んだ空調風Ｗ１２が合流し、空調風の流れ方向において二番目に位置する放射パネル３１Ｅに供給される。空調風Ｗ１１，Ｗ１２は、放射パネル３１Ｅの流路３３（図３参照）を通り抜ける。これにより、放射パネル３１Ｅが加熱又は冷却され、その熱が天井材３Ｂの下方の室内空間に放散され。
【００６４】
開閉部５６Ｂが開くと、第一ダクト５１を流れてきた空調風Ｗ１１に、連通部５５Ｂを通して第二ダクト５２から流れ込んだ空調風Ｗ１２が合流し、空調風の流れ方向において三番目に位置する放射パネル３１Ｆに供給される。空調風は、放射パネル３１Ｆの流路３３（図３参照）を通り抜ける。これにより、放射パネル３１Ｆが加熱又は冷却され、その熱が天井材３Ｂの下方の室内空間に放散される。
【００６５】
第一ダクト５１内を流れる空調風Ｗ１１は、複数の放射パネル３１Ｄ〜３１Ｆよりも下流側で、対流空調部３８Ｂを通して、室２Ｄの天井材３Ｂの下方の室内空間に供給される。また、第二ダクト５２内を流れる空調風Ｗ１２は、出口開閉部５８を開くことで第一ダクト５１内の空調風Ｗ１１に合流し、対流空調部３８Ｂを通して、室２Ｄの天井材３Ｂの下方の室内空間に供給される。これにより、室２Ｄ内の対流空調がなされる。
【００６６】
制御部４０Ｂは、予め定められたコンピュータプログラムに基づいて、開閉部５６Ａ，５６Ｂの開度を調整する。
例えば、制御部４０Ｂは、室内機１１から放射パネル３１Ｄ〜３１Ｆまでの空気案内ダクト５０の流路長が長いほど、開閉部５６Ａ、５６Ｂの開度を大きくする。これにより、空気案内ダクト５０の流路長に関わらず、放射パネル３１Ｄ〜３１Ｆに供給される風量の均等化が図られる。また、その結果、流路長が短い放射パネル３１Ｄに対し、流路長が長い放射パネル３１Ｆや放射パネル３１Ｅにおける熱交換量が低くなることが抑えられる。
【００６７】
また、制御部４０Ｂは、センサー６０Ｂで検出される放射パネル３１Ｄ〜３１Ｆの温度や室２Ｄの内部（室内空間）の温度に基づき、開閉部５６の開度を調整する。制御部４０Ｂは、センサー６０Ｂで検出される温度が、予め設定された温度に近づくよう、開閉部５６の開度を調整する。
【００６８】
また、制御部４０Ｂは、第二ダクト５２を通して第一ダクト５１に空気を供給しない場合、入口開閉部２７を閉じておくようにしてもよい。
【００６９】
上述した第二実施形態の放射空調システム１Ｂによれば、連通部５５の開閉部５６を開くことで、第一ダクト５１を通る空調風Ｗ１１に加えて、第二ダクト５２を通る空調風Ｗ１２を供給することができる。したがって、室内機１１からの流路長が長くても、放射パネル３１Ｄ〜３１Ｆの部分に供給される風量が少なくなることが抑えられる。また、放射パネル３１Ｄ〜３１Ｆの部分に供給される風量を増大させることで、放射パネル３１Ｄ〜３１Ｆにおける熱交換量が低くなることが抑えられる。したがって、室内機１１からの流路長が長くても、放射パネル３１Ｄ〜３１Ｆの部分における放射空調効果が低くなることが抑えられる。
このようにして、室内機１１から放射パネル３１Ｄ〜３１Ｆまでの流路長に関わらず、空調効果のバランスを改善することが可能となる。
【００７０】
また、一つの室２Ｄに複数の放射パネル３１Ａ〜３１Ｃが設けられている。また、連通部２５は、複数の放射パネル３１Ａ〜３１Ｃのそれぞれよりも上流側に設けられている。このように構成することで、連通部２５の開閉部２６を開けば、第二ダクト２２を通る空調風Ｗ１２が連通部２５を介して第一ダクト２１に導入される。これにより、複数の放射パネル３１Ａ〜３１Ｃのそれぞれに供給される風量が少なくなることが抑えられる。また、放射パネル３１Ａ〜３１Ｃに供給される風量を増大させることで、放射パネル３１Ａ〜３１Ｃにおける熱交換量が低くなることが抑えられる。
【００７１】
また、第二ダクト５２を通して第一ダクト５１に空気を供給しない場合、入口開閉部５７を閉じておくことで、室内機１１からの空調風の全てを第一ダクト５１に供給することができる。これにより、室内機１１からの空調風を無駄なく活用することができる。
【００７２】
また、第二ダクト５２は、第一ダクト５１よりも流路断面積Ａ１２が大きいので、第二ダクト５２を通して、より多い量の空調風を第一ダクト５１に供給することが可能となる。これにより、複数の放射パネル３１Ｄ〜３１Ｆのそれぞれに供給される風量が少なくなることが抑えられる。
【００７３】
また、室内機１１から離間した側の第二端部に、対流空調部３８Ｂが設けられている。これにより、放射パネル３１Ｄ〜３１Ｆにおける放射空調に加えて、対流空調部３８Ｂを通した対流空調によって、室内の温度を調整することができる。
【００７４】
また、制御部４０Ｂで、連通部５５の開閉部５６の開度を調整することで、複数の放射パネル３１Ｄ〜３１Ｆのそれぞれに供給される風量が少なくなることが自動的に抑えられる。これにより、室内機１１からの流路長に関わらず、空調効果のバランスを自動的に改善することが可能となる。
【００７５】
さらに、センサー６０Ｂで検出された温度に基づいて、制御部４０Ｂで開閉部５６の開度を自動的に調節する。これにより、室内機１１からの流路長に関わらず、空調効果のバランスを自動的に改善することが可能となる。
【００７６】
（上記実施形態の変形例）
上記第一、第二実施形態における第一ダクト２１の分岐延伸部２４、第一ダクト５１に、風量センサー（図示無し）を備えるようにしてもよい。この場合、制御部４０Ａ、４０Ｂは、風量センサー（図示無し）で検出される風量に基づき、開閉部２６の開度を調整する。
【００７７】
（その他の変形例）
なお、この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
例えば、上記実施形態では、入口開閉部２７，５７、及び出口開閉部２８，５８を備えるようにしたが、これらを省略することもできる。
【００７８】
また、室２Ａ〜２Ｃ、及び室２Ｄの数や配置、放射パネル３１Ａ〜３１Ｃ、及び放射パネル３１Ｄ〜３１Ｆの数や配置は、適宜変更可能である。
【００７９】
また、放射パネル３１Ａ〜３１Ｃ，３１Ｄ〜３１Ｆの構造も、上記実施形態で示したものは一例にすぎず、変更可能である。
【００８０】
また、上記実施形態では、第一ダクト２１，５１と、第二ダクト２２，５２とを積層することで並設する構成としたが、これに限らない。第一ダクト２１，５１と、第二ダクト２２，５２とは、少なくとも連通部２５，５５の部分で並設されていればよく、他の部分では、互いに異なる位置に配置されていてもよい。
【００８１】
さらに、上記第一実施形態で示した構成と、第二実施形態で示した構成とを組み合わせることも可能である。
【符号の説明】
【００８２】
１Ａ，１Ｂ  放射空調システム
２Ａ，２Ｂ，２Ｃ，２Ｄ  室
２ｔ  室内上面
３Ａ，３Ｂ  天井材
４Ａ，４Ｂ  天井裏空間
１１  室内機
１２  室外機
１３  筐体
１４  室内熱交換器
１５  送風ファン
１６  室外熱交換器
２０  空気案内ダクト
２０Ｓ  並設ダクト部
２０Ｔ  分岐ダクト部
２０ｄ  ダクト管
２０ｐ  仕切板
２１，２１Ａ，２１Ｂ，２１Ｃ  第一ダクト
２２  第二ダクト
２３  並行延伸部
２４，２４Ａ，２４Ｂ，２４Ｃ  分岐延伸部
２５，２５Ａ，２５Ｂ，２５Ｃ  連通部
２６，２６Ａ，２６Ｂ，２６Ｃ  開閉部
２７  入口開閉部
２８  出口開閉部
３１Ａ，３１Ｂ，３１Ｃ，３１Ｄ，３１Ｅ，３１Ｆ  放射パネル
３２  パネル筐体
３２ａ，３２ｂ  側面
３３  流路
３４，３５，３６  流路形成用部材
３７Ａ  空気導入口
３７Ｂ  空気導出口
３８，３８Ａ，３８Ｂ  対流空調部
４０Ａ，４０Ｂ  制御部
５０  空気案内ダクト
５１  第一ダクト
５２  第二ダクト
５５，５５Ａ，５５Ｂ  連通部
５６，５６Ａ，５６Ｂ  開閉部
５７  入口開閉部
５８  出口開閉部
６０，６０Ｂ  センサー
Ａ１，Ａ２，Ａ１１，Ａ１２  流路断面積
Ｗ１，Ｗ２，Ｗ１１，Ｗ１２  空調風
【図１】
2020112279.tif 000003
【図２】
2020112279.tif 000004
【図３】
2020112279.tif 000005
【図４】
2020112279.tif 000006
【図５】
2020112279.tif 000007